(57)【要約】【課題】カレンダ設備において、冷却装置に供給する際のシートの引き上げ距離を短くするあるいは無くすことによって、シート変形やシート位置ズレの発生を抑制する。【解決手段】冷却装置８が、廻し掛けられたシート１００を冷却する冷却ローラ８ｃと該冷却ローラ８ｃを支持する支持部材８ｄとを備える冷却ローラユニット８ａ，８ｂがシート１００の搬送方向に複数配置された構成を有する。【選択図】図１
2010125656.tif 000002
【特許請求の範囲】
【請求項１】
シートの形成を行うカレンダ装置と、該カレンダ装置から排出された前記シートを冷却する冷却装置とを備えるカレンダ設備であって、
前記冷却装置は、廻し掛けられた前記シートを冷却する冷却ローラと該冷却ローラを支持する支持部材とを備える冷却ローラユニットが前記シートの搬送方向に複数配置された構成を有することを特徴とするカレンダ設備。
【請求項２】
前記冷却ローラユニットは、鉛直方向に立設される前記支持部材と、該支持部材に支持されて鉛直方向に配列される複数の前記冷却ローラとを備えることを特徴とする請求項１記載のカレンダ装置。
【請求項３】
前記シートの搬送方向における最も上流側の冷却ローラユニットが下方から前記シートを供給可能に構成され、
前記シートの搬送方向における最も下流側の冷却ローラユニットが下方から前記シートを排出可能に構成されている
ことを特徴とする請求項１または２記載のカレンダ設備。
【請求項４】
前記冷却装置は、前記冷却ローラユニットが前記シートの搬送方向に偶数個配置された構成を有することを特徴とする請求項１〜３いずれかに記載のカレンダ設備。
【請求項５】
前記冷却装置は、前記冷却ローラユニットが前記シートの搬送方向に２つ配置された構成を有することを特徴とする請求項１〜４いずれかに記載のカレンダ設備。
【発明の詳細な説明】
【技術分野】
【０００１】
本発明は、シートの形成を行うカレンダ装置と、該カレンダ装置から排出された上記シートを冷却する冷却装置とを備えるカレンダ設備に関するものである。
【背景技術】
【０００２】
従来から、所望の機能を有するシートを形成するカレンダ装置（特許文献１参照）や該カレンダ装置から排出されたシートを冷却する冷却装置を備えるカレンダ設備が、例えばタイヤ等の製造工場の一部において用いられている。
【０００３】
カレンダ設備が備える冷却装置は、複数の冷却ローラが上方に積み上げられて構成されており、各冷却ローラに順に廻し掛けられたシートを各冷却ローラで順次冷却することによってカレンダ装置から連続的に排出されるシートを連続的に冷却する。
【特許文献１】特開平９−２３４７５５号公報
【発明の開示】
【発明が解決しようとする課題】
【０００４】
ところで、冷却装置が備える冷却ローラの数は、カレンダ装置から排出されるシートの冷却温度に依存して決定される。つまり、加熱されたシートを冷却温度に冷却するために、同様の冷却能力を有する冷却ローラが何個必要であるかが決定される。
ただし、単一の冷却ローラの冷却能力は限られており、時には冷却装置における冷却ローラの数が十数個に及ぶ場合もある。このため、冷却装置が非常に背丈の高い構造となる。
【０００５】
一方で、カレンダ装置では、冷却装置より下流側においてシートを搬送する駆動力を低減するために、複数の冷却ローラのうち、少なくとも最下流側の冷却ローラを駆動ローラとする必要がある。そして、駆動ローラにはモータ等の駆動源が接続されるため、メンテナンスの行い易さ、及び冷却装置の重量バランスの観点から最下流側の冷却ローラは、冷却装置の下方に設置される。
【０００６】
つまり、従来の冷却装置は、背丈の高い構造であると共に最下流側の冷却ローラが最下方に設置される構成を有している。このため、カレンダ装置から排出されたシートは、冷却装置に対して上方から供給される。
しかしながら、背丈の高い冷却装置の上方にシートを供給するためには、カレンダ装置から排出されたシートを長い距離上方に引き上げる必要が生じ、シートを引き上げている間にシートの変形やシートの位置ズレが生じ易くなる。
【０００７】
本発明は、上述する問題点に鑑みてなされたもので、カレンダ設備において、冷却装置に供給する際のシートの引き上げ距離を短くするあるいは無くすことによって、シート変形やシート位置ズレの発生を抑制することを目的とする。
【課題を解決するための手段】
【０００８】
本発明は、上記課題を解決するための手段として、以下の構成を採用する。
【０００９】
第１の発明は、シートの形成を行うカレンダ装置と、該カレンダ装置から排出された上記シートを冷却する冷却装置とを備えるカレンダ設備であって、上記冷却装置は、廻し掛けられた上記シートを冷却する冷却ローラと該冷却ローラを支持する支持部材とを備える冷却ローラユニットが上記シートの搬送方向に複数配置された構成を有するという構成を採用する。
【００１０】
第２の発明は、上記第１の発明において、上記冷却ローラユニットが、鉛直方向に立設される上記支持部材と、該支持部材に支持されて鉛直方向に配列される複数の上記冷却ローラとを備えるという構成を採用する。
【００１１】
第３の発明は、上記第１または第２の発明において、上記シートの搬送方向における最も上流側の冷却ローラユニットが下方から上記シートを供給可能に構成され、上記シートの搬送方向における最も下流側の冷却ローラユニットが下方から上記シートを排出可能に構成されているという構成を採用する。
【００１２】
第４の発明は、上記第１〜第３いずれかの発明において、上記冷却装置が、上記冷却ローラユニットが上記シートの搬送方向に偶数個配置された構成を有するという構成を採用する。
【００１３】
第５の発明は、上記第１〜第４いずれかの発明において、上記冷却装置が、上記冷却ローラユニットが上記シートの搬送方向に２つ配置された構成を有するという構成を採用する。
【発明の効果】
【００１４】
本発明によれば、冷却装置は、冷却ローラと支持部材とを備える冷却ローラユニットがシートの搬送方向に複数配置された構成を有する。
このため、冷却装置に求められる冷却能力（すなわち冷却ローラの数）が同一であるならば、冷却ローラが複数の冷却ローラユニットに分散して配置されるため、本発明の冷却装置が備える各冷却ローラユニットは、従来の背丈の高い冷却装置よりも背丈が低いものとなる。
したがって、本発明によれば、冷却ローラユニットの上方からシートを供給する場合であっても、従来のように冷却装置の上方からシートを供給する場合と比較して、シートを引き上げる距離が短くなり、シート変形やシート位置ズレの発生を抑制することが可能となる。
【発明を実施するための最良の形態】
【００１５】
以下、図面を参照して、本発明に係るカレンダ設備の一実施形態について説明する。なお、以下の図面において、各部材を認識可能な大きさとするために、各部材の縮尺を適宜変更している。
【００１６】
図１及び図２は、本実施形態のカレンダ設備Ｓの概略構成を示す図であり、図１が側面図であり、図２が平面図である。
本実施形態のカレンダ設備Ｓは、タイヤの製造工場に設置されるものであり、複数の金属ワイヤからなるコードがゴムシートによって挟み込まれたタイヤの構成部品（以下、製品シート１００と称する）を製造するための設備である。
そして、図１及び図２に示すように、本実施形態のカレンダ設備Ｓは、スプライスプレス装置１と、カレンダ装置２と、コンベア装置３と、ロードセル４と、厚み計測装置５と、オーバテンションブライダルローラ装置６と、ライナ送出装置７と、冷却装置８と、ワインドアップアキュムレータ装置９と、センタリング装置１０と、ワインドアップフィードローラ装置１１と、巻取装置１２と、カッタ装置１３とを備えている。
【００１７】
スプライスプレス装置１は、本実施形態のカレンダ設備Ｓに供給される上記コード２００同士を接続するものであり、先に供給されたコード２００の後端と後に供給されるコード２００の先端とを、供給されるゴムによって接続するものである。
【００１８】
カレンダ装置２は、コード２００の両面に対してゴムシートを貼り付けることによって製品シート１００（シート）を形成するものであり、スプライスプレス装置１の下流側（コード２００が送出される方向側）に配置されている。
このカレンダ装置２は、Ｓ字状に配列される４つの加熱ローラ２ａと、該加熱ローラ２ａを駆動するモータ２ｂ等を備えており、上流側（コード２００が送出される方向と反対側）から供給されるコード２００に、加熱ローラ２ａ間で成型したゴムシートを貼り付けることによって製品シート１００を形成する。そして、カレンダ装置２は、製品シート１００を斜め上方に向けて送出する。
なお、カレンダ装置２は、各加熱ローラ２ａの傾きや湾曲を調節するための不図示の調節機構を備えている。
【００１９】
コンベア装置３は、混練された後にシート状に成型されたゴムをカレンダ装置２に供給する装置であり、カレンダ装置２の加熱ローラ２ａ間にゴムを供給する。
なお、コンベア装置３は、加熱ローラ２ａ間に均等にゴムを供給するために供給する側の先端が左右に回動可能とされたウィグワグコンベア装置３ａと、該ウィグワグコンベア装置３ａにゴムを供給するためのフィードコンベア装置３ｂとを備えている。
【００２０】
ロードセル４は、カレンダ装置２から送出された製品シート１００に掛かる張力を検出するためのセンサであり、カレンダ装置２の下流側（製品シート１００の送出される方向側）に配置されている。そして、ロードセル４は、斜め下方から供給される製品シート１００を水平方向に送出する。
なお、ロードセル４の検出結果は、冷却装置８の駆動ローラの回転を制御する制御信号として用いられる。
【００２１】
厚み計測装置５は、製品シート１００の幅方向の厚みを検出するためのセンサであり、ロードセル４の下流側に配置されている。
なお、厚み計測装置５の検出結果は、カレンダ装置２の各加熱ローラ２ａの傾きや湾曲を調節するための調節機構を制御する制御信号として用いられる。
【００２２】
オーバテンションブライダルローラ装置６は、製品シート１００に対して異常な張力が掛かった場合に製品シート１００の支持を解除することによって製品シート１００への損傷を抑制するためのものであり、厚み計測装置５の下流側に配置されている。
なお、オーバテンションブライダルローラ装置６は、製品シート１００に対して正常な張力が掛かっている場合には、製品シート１００を支持し、水平方向から供給された製品シート１００を下方に送出するガイドローラとして機能する。
【００２３】
ライナ送出装置７は、オーバテンションブライダルローラ装置６の下方に配置されており、製品シート１００の両面に貼付されるライナが巻回されたローラを軸支すると共に、ブレーキを利かせながらライナを送出するものである。
なお、ライナ送出装置７の下方には、ガイドローラ１４が設置されており、当該ガイドローラ１４によって上方から供給される製品シート１００が水平方向に送出される。
【００２４】
冷却装置８は、製品シート１００を冷却するものであり、図３の拡大図に示すように、２つの冷却ローラユニット８ａ，８ｂが製品シート１００の搬送方向に配置された構成を有している。
【００２５】
各冷却ローラユニット８ａ，８ｂは、４つの冷却ローラ８ｃと、該冷却ローラ８ｃを支持部材８ｄとを備えている。
各冷却ローラ８ｃは、内部に冷媒が供給されることによって表面が冷却されており、廻し掛けられる製品シート１００を冷却するものである。また、支持部材８ｄは、鉛直方向に立設されている。
そして、各冷却ローラユニット８ａ，８ｂにおいて、冷却ローラ８ｃは、支持部材８ｄの左右に交互に支持されて鉛直方向に配列されている。
【００２６】
上流側に配置された冷却ローラユニット８ａでは、製品シート１００は、まず最下方に設置された冷却ローラ８ｃに廻しかけられ、順次上方の冷却ローラ８ｃに廻し掛けられる。そして、製品シート１００は、最上方に設置された冷却ローラ８ｃから略水平方向に送出される。
つまり、上流側に配置された冷却ローラユニット８ａにおいては、下方から製品シート１００が供給される。
【００２７】
一方、下流側に配置された冷却ローラユニット８ｂでは、製品シート１００は、まず最上方に設置された冷却ローラ８ｃに廻し掛けられ、順次下方の冷却ローラ８ｃに廻し掛けられる。そして、製品シート１００は、最下方に設置された冷却ローラ８ｃから略水平方向に送出される。
つまり、下流側に配置された冷却ローラユニット８ｂにおいては、下方から製品シート１００が送出される。
【００２８】
このように、本実施形態のカレンダ設備Ｓにおいては、上流側に配置された冷却ローラユニット８ａが下方から製品シート１００を供給可能に構成され、下流側に配置された冷却ローラユニット８ｂが下方から製品シート１００を送出可能に構成されている。
【００２９】
なお、下流側に配置された冷却ローラユニット８ａの冷却ローラ８ｃのうち、最下流の冷却ローラ８ｃを含む３つの冷却ローラ８ｃが、モータ８ｅ（図２参照）によって回転駆動される駆動ローラとして機能する。
【００３０】
また、本実施形態のカレンダ設備Ｓにおいては、上流側に配置された冷却ローラユニット８ａが備える支持部材８ｄと、下流側に配置された冷却ローラユニット８ｂが備える支持部材８ｄとの高さが同じに設定されている。
また、各冷却ローラユニット８ａ，８ｂの支持部材８ｄは、図３に示すように、既に設置されている４つの冷却ローラ８ｃよりもさらに上方に冷却ローラ８ｃを配置可能な高さを有している。
【００３１】
ワインドアップアキュムレータ装置９は、冷却装置８からの製品シート１００の供給を止めることなく、自らの下流側の製品シート１００の搬送を停止するためのものであり、冷却装置８の下流側に配置されている。
このワインドアップアキュムレータ装置９は、製品シート１００が廻し掛けられる複数のローラ９ａを備えている。そして、一部のローラ９ａは、油圧シリンダ９ｂに固定されたキャリッジ９ｃに固定されており昇降可能とされている。
このワインドアップアキュムレータ装置９においては、冷却装置８からの製品シート１００の供給速度に応じて、キャリッジ９ｃが上昇されてローラ９ａ間が拡がることによって下流側の製品シート１００の搬送が停止される。
なお、ワインドアップアキュムレータ装置９は、製品シート１００を上方に送出するガイドローラ９ｄを備えている。
【００３２】
センタリング装置１０は、製品シート１００の幅方向の位置ズレを修正するものであり、ワインドアップキュムレータ装置９の下流側に配置されており、ワインドアップアキュムレータ装置９のフレームに対して固定されている。
【００３３】
ワインドアップフィードローラ装置１１は、冷却装置８より下流側における製品シート１００に掛かる張力を設定するものであり、駆動ローラ１１ａを備えている。
このワインドアップフィードローラ装置１１は、センタリング装置１０の下流側に設置されており、センタリング装置１０との間に設置されたガイドローラ１５によって略水平方向に送出された製品シート１００が供給され、この供給された製品シート１００を下方に送出する。
【００３４】
巻取装置１２は、製品シート１００を巻き取るものであり、ワインドアップフィードローラ装置１１の下方に２つ配置されている。
そして、いずれかの巻取装置１２によってワインドアップフィードローラ装置１１から送出される製品シート１００が巻き取られる。
【００３５】
カッタ装置１３は、ワインドアップフィードローラ装置１１と巻取装置１２との間に設置され、巻取装置１２における製品シート１００の巻回量が所定量となるタイミングで製品シート１００を切断する。
【００３６】
また、本実施形態のカレンダ設備Ｓは、不図示の制御装置を備えており、各装置が電気的に接続される制御装置によって制御されている。
【００３７】
次に、このように構成された本実施形態のカレンダ設備Ｓにおいて製品シート１００を巻取装置１２にて巻き取るまでの動作について説明する。
なお、以下の動作において、特に断りがない限り、動作の主体者は制御装置である。
【００３８】
まず、外部よりコード２００が本実施形態のカレンダ設備Ｓに供給されると、コード２００は、スプライスプレス装置１を介してカレンダ装置２に供給される。
ここで、コード２００の後端がスプライスプレス装置１を通過する際には、スプライスプレス装置１によって、コード２００の後端と次のコード２００の先端とがゴムによって接続される。
なお、コード２００に掛かる張力は、カレンダ装置２の加熱ローラ２ａの回転駆動によって制御されている。
【００３９】
一方で、コンベア装置３によって混練された後にシート状に成型されたゴムがカレンダ装置２に供給される。
そして、カレンダ装置２に供給されたコード２００は、その両面に加熱ローラ２ａによって形成されたゴムシートが貼付されることによって製品シート１００とされる。
【００４０】
そして、カレンダ装置２から送出された製品シート１００は、ロードセル４、厚み計測装置５、オーバテンションブライダルローラ装置６を介して冷却装置８に供給される。
なお、ロードセル４によって製品シート１００に掛かっている張力が検出され、当該検出結果に基づいて冷却装置８の駆動ローラ（冷却ローラ８ｃ）の回転駆動が制御されることによってカレンダ装置２から冷却装置８までの間に製品シート１００に掛かる張力が一定に保たれる。
また、厚み計測装置５によって、製品シート１００の幅方向の厚みが検出され、当該検出結果に基づいて、製品シート１００の厚みが均一化されるようにカレンダ装置２の加熱ローラ２ａの傾き及び湾曲が調節される。
また、製品シート１００に掛かる張力が異常に増加した場合には、オーバテンションブライダルローラ装置６が製品シート１００の支持を解除することによって製品シート１００への損傷が抑制される。
また、製品シート１００は、冷却装置８に供給される前にライナ送出装置７の近傍を通過し、ライナ送出装置７から送出されるライナが両面に貼付される。
【００４１】
冷却装置８に供給された製品シート１００は、冷却装置８の各冷却ローラユニット８ａ，８ｂが備える冷却ローラ８ｃによって冷却されて排出される。
ここで、本実施形態のカレンダ設備Ｓにおいては、冷却装置８が、２つの冷却ローラユニット８ａ，８ｂが製品シート１００の搬送方向に配置された構成を有しており、上流側に配置された冷却ローラユニット８ａの下方から製品シート１００が供給される。このため、製品シート１００が引き上げられることなく冷却装置８に供給される。
また、上流側に配置された冷却ローラユニット８ａから送出された製品シート１００は、下流側に配置された冷却ローラユニット８ｂに上方から供給されて下方から排出される。
【００４２】
冷却装置８から送出された製品シート１００は、ワインドアップアキュムレータ装置９を介してセンタリング装置１０に供給されることによって位置ズレを修正される。
そして、製品シート１００は、ワインドアップフィードローラ装置１１を介して巻取装置１２に供給されて巻回される。
なお、巻取装置１２を切り替える際には、カッタ装置１３によって製品シート１００が切断されると共に、ワインドアップフィードローラ装置１１の回転駆動力が低減されてワインドアップアキュムレータ装置９のキャリッジ９ｃが上昇されることによって、ワインドアップアキュムレータ装置９より下流側の製品シート１００の搬送が停止される。そして、巻取装置１２の切り切り替えが完了した後は、ワインドアップフィードローラ装置１１の回転駆動力が通常状態よりも増加されてワインドアップアキュムレータ装置９に溜まった製品シート１００を送出し、その後ワインドアップフィードローラ装置１１の回転駆動力が通常状態となる。
【００４３】
以上のような本実施形態のカレンダ設備Ｓによれば、冷却装置８は、冷却ローラ８ｃと支持部材８ｄとを備える冷却ローラユニット８ａ，８ｂが製品シート１００の搬送方向に複数配置された構成を有する。
このため、冷却装置８に求められる冷却能力（すなわち冷却ローラの数）が同一であるならば、冷却ローラ８ｃが複数の冷却ローラユニット８ａ，８ｃに分散して配置されるため、本実施形態における冷却装置８が備える各冷却ローラユニット８ａ，８ｂは、従来の背丈の高い冷却装置よりも背丈が低いものとなる。
したがって、本実施形態のカレンダ設備Ｓによれば、仮に冷却ローラユニット８ａ，８ｂの上方から製品シート１００を供給する場合であっても、従来のように冷却装置の上方から製品シートを供給する場合と比較して、製品シート１００を引き上げる距離が短くなり、シート変形やシート位置ズレの発生を抑制することが可能となる。
【００４４】
また、各冷却ローラユニット８ａ，８ｂの背丈が従来の冷却装置と比較して低くなることによって、高所での作業が減少して冷却装置８のメンテナンスが容易となる。
また、各冷却ローラユニット８ａ，８ｂの背丈が従来の冷却装置と比較して低いため、カレンダ設備Ｓの仕様変更等によって冷却装置８の冷却能力の増強が必要となった場合に、容易に冷却ローラ８ｃの増設が可能となる。
さらに、各冷却ローラユニット８ａ，８ｂの背丈が従来の冷却装置と比較して低くなることによって、冷却装置８の搬送が容易となり、冷却装置８の組立てが容易となる。
【００４５】
また、冷却装置の設置位置が同一であるならば、製品シート１００の引き上げ距離が長ければ長い程、製品シート１００の引き上げ角度が垂直に近づくため、冷却装置に供給される以前の製造シート１００が冷却ローラに接触しやすくなり、製造シート１００の損傷を招く虞がある。
これに対して本実施形態のカレンダ設備Ｓによれば、仮に冷却ローラユニット８ａ，８ｂの上方から製品シート１００を供給する場合であっても、製品シートの引き上げ角度が緩和され、製造シート１００と冷却ローラ８ｃとが接触することを抑制することが可能となる。
【００４６】
さらに、本実施形態のカレンダ設備Ｓによれば、上流側に配置される冷却ローラユニット８ａが下方から製品シート１００を供給可能に構成されている。このため、冷却装置８に供給される製品シート１００の引き上げ距離を殆ど無くすことができ、より確実にシート変形やシート位置ズレの発生を抑制することが可能となる。
また、本実施形態のカレンダ設備Ｓによれば、下流側に配置される冷却ローラユニット８ｂが下方から製品シート１００を排出可能に構成されている。このため、駆動ローラとして機能する冷却ローラ８ｃを最下方に配置することが可能となり、モータ８ｅ等のメンテナンスを容易に行うことが可能となる。
【００４７】
また、本実施形態のカレンダ設備Ｓにおいては、冷却装置８が偶数個である２つの冷却ローラユニット８ａ，８ｂを備える構成を採用している。
このように冷却ローラユニット８ａ，８ｂが偶数個である場合には、最も上流側の最上流冷却ローラユニットに下方から製品シート１００を供給し、各冷却ローラユニット間において最短距離で製品シート１００の受け渡しを行うことによって、最も下流側の最下流冷却ローラユニットの下方から製品シート１００が排出される。
よって、冷却ローラユニット８ａ，８ｂが偶数個である場合には、製品シート１００の無駄な引き廻しを行うことなく、冷却装置８に下方から製品シート１００を供給し、冷却装置８の下方から製品シート１００を排出する構成を実現することができる。
【００４８】
また、本実施形態のカレンダ設備Ｓにおいては、冷却装置８が２つの冷却ローラユニット８ａ，８ｂを備える構成を採用している。
したがって、従来のカレンダ装置が、単一の冷却装置に加えて冷却装置の上方に製品シート１００を引き上げるためのガイドローラを必要とすることを考慮すれば、本実施形態のカレンダ設備Ｓは、従来のカレンダ装置と比較してほぼ同一のライン長とすることができる。
【００４９】
また、本実施形態のカレンダ設備Ｓにおいては、モータ８ｅ等の冷却ローラ８ｃを駆動する機構を除いて、２つの冷却ローラユニット８ａ，８ｂがほぼ同一の構成を有している。このため、同様の仕様にて冷却ローラユニット８ａ，８ｂを製造することが可能となり、低コストで冷却装置８を製造することが可能となる。
【００５０】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００５１】
例えば、上記実施形態においては、カレンダ装置２及び冷却装置８以外に複数の装置を備えるカレンダ設備Ｓについて説明した。
しかしながら、本発明はこれに限定されるものではなく、カレンダ装置２及び冷却装置８を除く装置構成については、製品シート１００の仕様に応じて任意に変更可能である。
【００５２】
また、上記実施形態においては、冷却装置８が２つの冷却ローラユニット８ａ，８ｂを備える構成について説明した。
しかしながら、本発明はこれに限定されるものではなく、冷却装置８がさらに複数（偶数、奇数を問わず）の冷却ローラユニットを備える構成を採用することも可能である。
【００５３】
また、上記実施形態においては、各冷却ローラユニット８ａ，８ｂが４つの冷却ローラ８ｃを備える構成について説明した。
しかしながら、本発明はこれに限定されるものではなく、各冷却ローラユニット８ａ，８ｂがさらに複数あるいは少数の冷却ローラ８ｃを備える構成を採用することも可能である。
【図面の簡単な説明】
【００５４】
【図１】本発明の一実施形態におけるカレンダ設備の概略構成を示す側面図である。
【図２】本発明の一実施形態におけるカレンダ設備の概略構成を示す平面図である。
【図３】本発明の一実施形態におけるカレンダ設備が備える冷却装置の拡大図である。
【符号の説明】
【００５５】
Ｓ……カレンダ設備、２……カレンダ装置、８……冷却装置、８ａ，８ｂ……冷却ローラユニット、８ｃ……冷却ローラ、８ｄ……支持部材、１００……製品シート（シート）
【図１】
2010125656.tif 000003
【図２】
2010125656.tif 000004
【図３】
2010125656.tif 000005